【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする吸収体。
【請求項２】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする吸収体。
【請求項３】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする吸収体。
【請求項４】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性樹脂含有層部、中間吸水性紙層部、吸水性混合層部及び下部吸水性紙層部は、合わせられて一体に形成されおり、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする吸収体。
【請求項５】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性混合層部及び下部吸水性紙層部は、合わせられて一体に形成されおり、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とするシーツ。
【請求項６】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とするシーツ。
【請求項７】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とするシーツ。
【請求項８】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記凹部又は凸部間の凹み部分は、上面を形成する透水性薄層部又は下面を形成する透水性若しくは不透水性薄層部との間に空間が形成されていることを特徴とするシーツ。
【請求項９】
吸水性混合層部は、プラスチック廃材粉砕物、紙廃材粉砕物及び吸水性樹脂を含み、プラスチック物質含有量がパルプ含有量よりも大きいことを特徴とする請求項１乃至４の何れか一項に記載の吸収体。
【請求項１０】
上部吸水性紙層部及び下部吸水性紙層部の双方又は一方がレーヨン紙、薄葉紙又は複合紙で形成されている紙層部であることを特徴とする請求項５又は７に記載のシーツ。
【請求項１１】
上部吸水性紙層部、中間吸水性紙層部及び下部吸水性紙層部の中の少なくとも一つがレーヨン紙、薄葉紙又は複合紙で形成されている紙層部であることを特徴とする請求項６又は８に記載のシーツ。
【請求項１２】
紙廃材粉砕物は、粒度が５ｍｍ以下の粉砕物であり、不良紙おむつ若しくは紙おむつ廃材の粉砕物、不良乳パッド若しくは乳パッド廃材の粉砕物、不良尿パッド若しくは尿パッド廃材の粉砕物、不良生理用ナプキン若しくは生理用ナプキン廃材の粉砕物、不良高吸収性繊維若しくは高吸収性繊維廃材、不良感熱紙若しくは感熱紙廃材の粉砕物、不良紙管若しくは紙管廃材の粉砕物、不良紙器若しくは紙器廃材の粉砕物、新聞紙廃材の粉砕物、不良段ボール若しくは段ボール廃材の粉砕物、古紙の粉砕物、不良紙管若しくは紙管廃材、不良無機繊維紙若しくは無機繊維紙廃材の粉砕物、不良化学繊維紙若しくは化学繊維紙廃材の粉砕物、乾式若しくは湿式の不良不織布又は乾式若しくは湿式不織布廃材の粉砕物或いは不良ラミネート紙若しくはラミネート紙廃材の粉砕物、不良プリクラロール若しくはプリクラロール廃材の粉砕物、不良感熱紙若しくは感熱紙廃材の粉砕物、不良防臭紙若しくは防臭紙廃材の粉砕物、不良防虫紙若しくは防虫紙廃材の粉砕物、不良吸水紙若しくは吸水紙廃材の粉砕物、不良複写用紙若しくは複写用紙廃材の粉砕物、不良磁気記録紙若しくは磁気記録紙廃材の粉砕物、或いは前記粉砕物の二以上の混合物であることを特徴とする請求項１乃至４の何れか一項に記載の吸収体。
【請求項１３】
不良無機繊維紙又は無機繊維紙廃材の粉砕物が、不良チタン紙若しくはチタン紙廃材の粉砕物、不良アルミナ紙若しくはアルミナ紙廃材の粉砕物、不良チタン酸カリウム紙若しくはチタン酸カリウム紙廃材の粉砕物、不良アルミナ・シリカ紙若しくはアルミナ・シリカ紙廃材の粉砕物又は不良炭素繊維紙若しくは炭素繊維紙廃材の粉砕物或いは前記粉砕物の二以上の混合物であることを特徴とする請求項１２に記載のシーツ。
【請求項１４】
化学繊維紙廃材の粉砕物が、再生繊維紙廃材の粉砕物若しくは半合成繊維紙廃材の粉砕物又は前記粉砕物の二以上の混合物であることを特徴とする請求項１２に記載のシーツ。
【請求項１５】
紙廃材粉砕物は、粒度が５ｍｍ以下の粉砕物であり、不良紙おむつの粉砕物、不良乳パッドの粉砕物、不良尿パッドの粉砕物、不良生理用ナプキンの粉砕物、紙おむつ廃材の粉砕物、乳パッド廃材の粉砕物、尿パッド廃材の粉砕物、生理用ナプキン廃材の粉砕物又はラミネート紙廃材の粉砕物或いは前記粉砕物の一以上から分離され、主成分としてパルプを含有する分離産物であることを特徴とする請求項５乃至９の何れか一項に記載のシーツ。
【請求項１６】
プラスチック廃材粉砕物が、粒度が５ｍｍ以下のプラスチックフィルム廃材の粉砕物又はプラスチックシート廃材の粉砕物であることを特徴とする請求項５乃至９の何れか一項に記載のシーツ。
【請求項１７】
プラスチック廃材粉砕物は、粒度が５ｍｍ以下の粉砕物であり、紙おむつ廃材粉砕物、乳パッド廃材粉砕物、尿パッド廃材粉砕物、紙ナプキン廃材粉砕物又はラミネート紙廃材粉砕物或いは前記粉砕物の一以上の粉砕物から分離された、主成分としてプラスチック物質を含有する分離産物であることを特徴とする請求項５乃至９の何れか一項に記載のシーツ。
【請求項１８】
透水性薄層部は、乾式不織布又は湿式不織布であることを特徴とする請求項５乃至８の何れか一項に記載のシーツ体。
【請求項１９】
不透水性薄層部が、プラスチックフィルム又は柔軟なプラスチックシートであることを特徴とする請求項５乃至８の何れか一項に記載のシーツ。
【請求項２０】
不透水性薄層部が、複数の孔が形成されているプラスチックフィルム又は柔軟なプラスチックシートであることを特徴とする請求項５乃至８の何れか一項に記載のシーツ。
【請求項２１】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする包装材料。
【請求項２２】
上面を形成する透水性薄層部と、下面を形成する透水性又は不透水性薄層部と、前記透水性薄層部の下面に接して位置する上部吸水性紙層部と、前記透水性乃至不透水性薄層部の上面に接して配置される下部吸水性紙層部と、前記上部又は下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする包装材料。
【請求項２３】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする包装材料。
【請求項２４】
上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする包装材料。
【請求項２５】
吸水性混合層部は、プラスチック廃材粉砕物、紙廃材粉砕物及び吸水性樹脂を含み、プラスチック物質含有量がパルプ含有量よりも大きいことを特徴とする請求項２１乃至２４の何れか一項に記載の包装材料。
【請求項２６】
上部吸水性紙層部及び下部吸水性紙層部の双方又は一方がレーヨン紙、薄葉紙又は複合紙で形成されている紙層部であることを特徴とする請求項２１又は２３に記載の包装材料。
【請求項２７】
上部吸水性紙層部、中間吸水性紙層部及び下部吸水性紙層部の中の少なくとも一つがレーヨン紙、薄葉紙又は複合紙で形成されている紙層部であることを特徴とする請求項２２又は２４に記載の包装材料。
【請求項２８】
紙廃材粉砕物は、粒度が５ｍｍ以下の粉砕物であり、不良紙おむつ若しくは紙おむつ廃材の粉砕物、不良乳パッド若しくは乳パッド廃材の粉砕物、不良尿パッド若しくは尿パッド廃材の粉砕物、不良生理用ナプキン若しくは生理用ナプキン廃材の粉砕物、不良高吸収性繊維若しくは高吸収性繊維廃材、不良感熱紙若しくは感熱紙廃材の粉砕物、不良紙管若しくは紙管廃材の粉砕物、不良紙器若しくは紙器廃材の粉砕物、新聞紙廃材の粉砕物、不良段ボール若しくは段ボール廃材の粉砕物、古紙の粉砕物、不良紙管若しくは紙管廃材、不良無機繊維紙若しくは無機繊維紙廃材の粉砕物、不良化学繊維紙若しくは化学繊維紙廃材の粉砕物、乾式若しくは湿式の不良不織布又は乾式若しくは湿式不織布廃材の粉砕物或いは不良ラミネート紙若しくはラミネート紙廃材の粉砕物、不良プリクラロール若しくはプリクラロール廃材の粉砕物、不良感熱紙若しくは感熱紙廃材の粉砕物、不良防臭紙若しくは防臭紙廃材の粉砕物、不良防虫紙若しくは防虫紙廃材の粉砕物、不良吸水紙若しくは吸水紙廃材の粉砕物、不良複写用紙若しくは複写用紙廃材の粉砕物、不良磁気記録紙若しくは磁気記録紙廃材の粉砕物、或いは前記粉砕物の二以上の混合物であることを特徴とする請求項２１乃至２５の何れか一項に記載の包装材料。
【請求項２９】
不良無機繊維紙又は無機繊維紙廃材の粉砕物が、不良チタン紙若しくはチタン紙廃材の粉砕物、不良アルミナ紙若しくはアルミナ紙廃材の粉砕物、不良チタン酸カリウム紙若しくはチタン酸カリウム紙廃材の粉砕物、不良アルミナ・シリカ紙若しくはアルミナ・シリカ紙廃材の粉砕物又は不良炭素繊維紙若しくは炭素繊維紙廃材の粉砕物或いは前記粉砕物の二以上の混合物であることを特徴とする請求項２８に記載の包装材料。
【請求項３０】
化学繊維紙廃材の粉砕物が、再生繊維紙廃材の粉砕物若しくは半合成繊維紙廃材の粉砕物又は前記粉砕物の二以上の混合物であることを特徴とする請求項２８に記載の包装材料。
【請求項３１】
紙廃材粉砕物は、粒度が５ｍｍ以下の粉砕物であり、不良紙おむつの粉砕物、不良乳パッドの粉砕物、不良尿パッドの粉砕物、不良生理用ナプキンの粉砕物、紙おむつ廃材の粉砕物、乳パッド廃材の粉砕物、尿パッド廃材の粉砕物、生理用ナプキン廃材の粉砕物、高吸収性繊維廃材の粉砕物又はラミネート紙廃材の粉砕物或いは前記粉砕物の一以上から分離された主成分としてパルプを含有する分離産物であることを特徴とする請求項２１乃至２５の何れか一項に記載の包装材料。
【請求項３２】
プラスチック廃材粉砕物が、粒度が５ｍｍ以下であり、プラスチックフィルム廃材の粉砕物、プラスチックシート廃材の粉砕物であることを特徴とする請求項２１乃至２５の何れか一項に記載の包装材料。
【請求項３３】
プラスチック廃材粉砕物は、粒度が５ｍｍ以下の粉砕物であり、生理用おむつ廃材粉砕物、乳パッド廃材粉砕物、尿パッド廃材粉砕物、生理用ナプキン廃材粉砕物又はラミネート紙廃材粉砕物或いは前記粉砕物の一以上から分離された、主成分としてプラスチック物質を含有する分離産物であることを特徴とする請求項２１乃至２５の何れか一項に記載の包装材料。
【請求項３４】
水分含有率が５乃至１５重量パーセントであることを特徴とする請求項２１乃至２４の何れか一項に記載の包装材料。
【請求項３５】
水分含有率が１５乃至５０重量パーセントであることを特徴とする請求項２１乃至２４の何れか一項に記載の包装材料。
【請求項３６】
不透水性薄層部が、プラスチックフィルム又は柔軟なプラスチックシートであることを特徴とする請求項２１乃至２４の何れか一項に記載の包装材料。
【請求項３７】
下面を形成する不透水性薄層部に、穴が形成されていることを特徴とする請求項２１乃至２４の何れか一項に記載の包装材料。
【請求項３８】
包装材料が、野菜、青果物、花卉類、鮮魚、生肉、総菜食品、弁当、種子、菌株、幼苗、球根若しくは園芸植物の包装用であり、水蒸発防止機能を有することを特徴とする請求項２１乃至３７の何れか一項に記載の包装材料。
【手続補正２】
【補正対象書類名】明細書
【補正対象項目名】０００８
【補正方法】変更
【補正の内容】
【０００８】
即ち、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする吸収体にあり、また、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする吸収体にあり、さらに、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする吸収体にあり、さらにまた、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える吸収体において、前記上部吸水性紙層部、吸水性樹脂含有層部、中間吸水性紙層部、吸水性混合層部及び下部吸水性紙層部は、合わせられて一体に形成されおり、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする吸収体にある。
【手続補正３】
【補正対象書類名】明細書
【補正対象項目名】０００９
【補正方法】変更
【補正の内容】
【０００９】
そしてまた、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性混合層部及び下部吸水性紙層部は、合わせられて一体に形成されおり、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とするシーツにあり、さらに、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とするシーツにあり、さらにまた、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とするシーツにあり、さらに加えて、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備えるシーツにおいて、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記凹部又は凸部間の凹み部分は、上面を形成する透水性薄層部又は下面を形成する透水性若しくは不透水性薄層部との間に空間が形成されていることを特徴とするシーツにある。
【手続補正４】
【補正対象書類名】明細書
【補正対象項目名】００１０
【補正方法】変更
【補正の内容】
【００１０】
そしてまた、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする包装材料にあり、さらに、本発明は、上面を形成する透水性薄層部と、下面を形成する透水性又は不透水性薄層部と、前記透水性薄層部の下面に接して位置する上部吸水性紙層部と、前記透水性乃至不透水性薄層部の上面に接して配置される下部吸水性紙層部と、前記上部又は下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成されており、前記複数の穴、溝、凹部又は凸部間の凹み部分は、前記透水性薄層部又は透水性若しくは不透水性薄層部との間に液溜め用の空間が形成されていることを特徴とする包装材料にあり、さらにまた、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部吸水性紙層部と下部吸水性紙層部の間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする包装材料にあり、さらに加えて、本発明は、上面を形成する透水性薄層部と、下面を形成する透水性又は不透水性薄層部と、前記透水性薄層部の下面に接して位置する上部吸水性紙層部と、前記透水性又は不透水性薄層部の上面に接して配置される下部吸水性紙層部と、前記上部及び下部吸水性紙層部間に配設されている中間吸水性紙層部と、上部吸水性紙層部及び中間吸水性紙層部の間に配設されている吸水性樹脂含有層部と、前記中間吸水性紙層部及び下部吸水性紙層部間に配設され、５ｍｍ以下の粒度のプラスチック廃材粉砕物、紙廃材粉砕物及び吸水性樹脂を含む吸水性混合層部とを備える包装材料において、前記上部吸水性紙層部、吸水性樹脂含有層部、中間吸水性紙層部、吸水性混合層部及び下部吸水性紙層部は、合わせられて一体に形成されており、前記一体に形成されている部分の前記透水性薄層部又は透水性若しくは不透水性薄層部に対する面に、平面形状で、４ｍｍ乃至１２ｍｍの大きさで、円形、四角形又は多角形の複数の有底の穴、溝又は複数の凹部又は凸部が形成され、且つ界面活性剤が付着されており、前記複数の穴、溝、凹部又は凸部間の凹み部分は、前記透水性薄層部又は透水性若しくは不透水性薄層部との間に液溜め用の空間が形成されていることを特徴とする包装材料にある。